(57)【要約】【課題】側板に土が付着することを長期的に防止し、耕耘爪の長期使用が可能な農作業機を提供することができる。【解決手段】複数の耕耘爪を有して回転軸を中心に耕耘作業を行うロータリ作業部を支持する本体と、本体の後端部に回動可能に支持されたエプロンと、を含み、本体は、ロータリ作業部の端に配置された側板と、側板に固定された土止め部材と、を具備し、土止め部材は、複数の耕耘爪のうち側板に最も近い耕耘爪と、側板との間に配置される第１部分と、側板から側板に最も近い耕耘爪が回転するときに通過する第１空間よりも上の第２空間に向かって配置された第２部分と、を含む農作業機。【選択図】図３
2019017284.tif 000002
【特許請求の範囲】
【請求項１】
複数の耕耘爪を有して回転軸を中心に耕耘作業を行うロータリ作業部を支持する本体と、
前記本体の後端部に回動可能に支持されたエプロンと、
を含み、
前記本体は、前記ロータリ作業部の端に配置された側板と、前記側板に固定された土止め部材と、を具備し、
前記土止め部材は、
前記複数の耕耘爪のうち前記側板に最も近い耕耘爪と、前記側板と、の間に配置される第１部分と、前記側板から前記側板に最も近い耕耘爪が回転するときに通過する第１空間よりも上の第２空間に向かって配置された第２部分と、を含む、農作業機。
【請求項２】
前記土止め部材は、前記第１空間の外側の形状に沿った形状を有する、
請求項１に記載の農作業機。
【請求項３】
前記エプロンは、前記エプロンの側面から前方に向かって配置され、前記本体の前記側板と平行な平面を有するエプロンシールドを具備し、
前記エプロンが回動したときに、前記エプロンシールドは、前記側板の内壁に沿って回動し、前記側板と近接する、
請求項１または２に記載の農作業機。
【請求項４】
前記エプロンは前記農作業機が旋回する時に回動し、前記エプロンシールドは前記エプロンの動きに合わせて回動する、
請求項３に記載の農作業機。
【請求項５】
前記土止め部材は、進行方向に対して前記回転軸の後方に配置される、
請求項１乃至４のいずれか一に記載の農作業機。
【請求項６】
前記土止め部材は、進行方向に対して斜め前方に向かって傾斜して配置される、
請求項１乃至５のいずれか一に記載の農作業機。
【請求項７】
前記土止め部材は、無機材料を含む、
請求項１乃至６のいずれか一に記載の農作業機。
【請求項８】
前記土止め部材の一部は、前記側板に最も近い耕耘爪と接する部分を有する、
請求項１乃至６のいずれか一に記載の農作業機。
【請求項９】
前記土止め部材は、弾性材料を含む、
請求項８に記載の農作業機。
【請求項１０】
前記土止め部材は、着脱可能である、
請求項１乃至９のいずれか一に記載の農作業機。
【請求項１１】
複数の耕耘爪を有して回転軸を中心に耕耘作業を行うロータリ作業部を回転自在に支持する本体と、
前記本体の後端部に回動可能に支持されたエプロンと、
を含み、
前記本体は、前記ロータリ作業部の端に配置された側板と、前記側板に固定された土止め部材、を具備し、
前記エプロンは、側面から前方に向かって配置され、前記本体の前記側板と平行な平面を有するエプロンシールドを具備し、
前記土止め部材は、前記複数の耕耘爪のうち、側板に最も近い耕耘爪と、前記側板との間に配置される、農作業機。
【発明の詳細な説明】
【技術分野】
【０００１】
本発明は農作業機に関する。特に、走行機体の後部に装着され、ロータリ作業部を回転させながら走行機体の前進走行に伴って進行しながら圃場を耕耘する農作業機に関する。
【背景技術】
【０００２】
一般的に、ロータリ作業機は、走行機体に接続されるフレームと、フレームに軸支され回転軸を中心として複数の耕耘爪が回転する作業ロータと、作業ロータの上方を覆うシールド用のカバー体（以下「シールドカバー」という）と、そのシールドカバーに対して回転可能に軸支され、下降及び跳ね上げ回転可能なエプロン部材とを有している。
【０００３】
一方で、耕耘爪が回転するとき、土の状態（粘性が高い場合、水分を含んだ土など）によっては、一部の土が耕耘爪に付着してしまう場合がある。さらに、耕耘爪に付着した土の一部は、回転により生じる遠心力により飛散し、本体側面（側板という場合がある）に付着してしまう場合がある。側板に付着した土は、作業者が掻き落とさない限り側板に残り続ける。長期間側板に付着した土は、徐々に乾燥し、硬くなる。この硬くなった土との接触により複数の耕耘爪のうち側板に最も近い耕耘爪の外側部分が摩耗してしまう場合がある。
【０００４】
このため、側板に土が付着するのを防止するために、特許文献１には、本体側板に鏡面状に加工されたステンレス板を設けることが開示されている。
【先行技術文献】
【特許文献】
【０００５】
【特許文献１】特開２００１−２７５４０５号公報
【発明の概要】
【発明が解決しようとする課題】
【０００６】
しかしながら、鏡面状に加工されたステンレス板などを用いたとしても、日々の耕耘作業において、石やその他の硬い物体と接触することにより、徐々に側板の表面が荒れてしまい、土付着防止効果が低下してしまう場合がある。このため、側板に徐々に土が付着してしまい、その結果、硬くなった土との接触によって耕耘爪が摩耗してしまうという問題があった。
【０００７】
そこで、本発明は、側板に土が付着することを長期的に防止し、耕耘爪の長期使用が可能な農作業機を提供することを目的の一つとする。
【課題を解決するための手段】
【０００８】
本発明の一実施形態によれば、複数の耕耘爪を有して回転軸を中心に耕耘作業を行うロータリ作業部を支持する本体と、本体の後端部に回動可能に支持されたエプロンと、を含み、本体は、ロータリ作業部の端に配置された側板と、側板に固定された土止め部材と、を具備し、土止め部材は、複数の耕耘爪のうち側板に最も近い耕耘爪と、側板との間に配置される第１部分と、側板から側板に最も近い耕耘爪が回転するときに通過する第１空間よりも上の第２空間に向かって配置された第２部分と、を含む農作業機が、提供される。
【０００９】
上記農作業機において、土止め部材は、第１空間の外側の形状に沿った形状を有してもよい。
【００１０】
上記農作業機において、エプロンは、エプロンの側面から前方に向かって配置され、本体の側板と平行な平面を有するエプロンシールドを具備し、エプロンが回動したときに、エプロンシールドは、側板の内壁に沿って回動し、側板と近接してもよい。
【００１１】
上記農作業機において、エプロンは農作業機が旋回する時に回動し、エプロンシールドはエプロンの動きに合わせて回動してもよい。
【００１２】
上記農作業機において、土止め部材は、進行方向に対して回転軸の後方に配置されてもよい。
【００１３】
上記農作業機において、土止め部材は、進行方向に対して斜め前方に向かって傾斜して配置されてもよい。
【００１４】
上記農作業機において、土止め部材は、無機材料を含んでもよい。
【００１５】
上記農作業機において、土止め部材の一部は、側板に最も近い耕耘爪と接する部分を有してもよい。
【００１６】
上記農作業機において、土止め部材は、弾性材料を含んでもよい。
【００１７】
上記農作業機において、土止め部材は、着脱可能であってもよい。
【００１８】
本発明の一実施形態によれば、複数の耕耘爪を有して回転軸を中心に耕耘作業を行うロータリ作業部を回転自在に支持する本体と、本体の後端部に回動可能に支持されたエプロンと、を含み、本体は、ロータリ作業部の端に配置された側板と、側板に固定された土止め部材、を具備し、エプロンは、側面から前方に向かって配置され、本体の側板と平行な平面を有するエプロンシールドを具備し、土止め部材は、複数の耕耘爪のうち、側板に最も近い耕耘爪と、側板との間に配置される、農作業機が提供される。
【発明の効果】
【００１９】
本発明によれば、側板に土が付着することを長期的に防止し、耕耘爪の長期使用が可能な農作業機を提供することができる。
【図面の簡単な説明】
【００２０】
【図１】本発明の一実施形態に係る農作業機の上面図である。
【図２】本発明の一実施形態に係る農作業機の側面図である。
【図３】本発明の一実施形態に係る農作業機の本体端部を簡略化した斜視図である。
【図４】本発明の一実施形態に係る農作業機の本体端部を簡略化した背面図である。
【図５】本発明の一実施形態に係る農作業機の本体端部を簡略化した背面図である。
【図６】本発明の一実施形態に係る農作業機の本体端部を簡略化した側面図である。
【図７】本発明の一実施形態に係る耕耘作業時および旋回時における農作業機の本体端部を簡略化した側面図である。
【図８】本発明の一実施形態に係る農作業機の本体端部を簡略化した側面図の変形例である。
【図９】本発明の一実施形態に係る農作業機の本体端部を簡略化した側面図の変形例である。
【図１０】本発明の一実施形態に係る農作業機の本体端部を簡略化した側面図の変形例である。
【図１１】本発明の一実施形態に係る農作業機の本体端部を簡略化した斜視図である。
【図１２】従来例の農作業機の本体端部を簡略化した背面図である。
【図１３】従来例の農作業機の本体端部を簡略化した側面図である。
【発明を実施するための形態】
【００２１】
以下、図面を参照して本発明の農作業機の実施形態について説明する。但し、本発明の農作業機は多くの異なる態様で実施することが可能であり、以下に示す例の記載内容に限定して解釈されるものではない。なお、本実施の形態で参照する図面において、同一部分または同様な機能を有する部分には同一の符号を付し、その繰り返しの説明は省略する。また、説明の便宜上、前方（前側）又は後方（後側）という語句を用いて説明するが、前方（前側）は農作業機１００に対する農作業機１００を牽引する走行機体３００の方向を示し、後方（後側）は走行機体３００に対する農作業機１００の方向を示す。
【００２２】
＜第１実施形態＞
（１−１．農作業機の構成）
図１は、本発明の第１実施形態に係る農作業機１００（ロータリ作業機または耕耘機という場合がある）の上面図である。図２は、農作業機１００の側面図である。図１に示されるように、本実施形態に係る農作業機１００は、本体１０１（主フレーム１１０およびシールドカバー１２０を含む）、ロータリ作業部１０２およびエプロン１３０等を備える。
【００２３】
本体１０１のうち主フレーム１１０は、トラクタ等の走行機体３００の後部に装着（接続）される。主フレーム１１０は円筒形であり、内部に動力伝達軸を有する。主フレーム１１０にはギアボックス１２５が取付けられている。
【００２４】
前進走行するトラクタ等の走行機体３００からの回転動力は、農作業機１００のＰＩＣ（Ｐｏｗｅｒ  Ｉｎｐｕｔ  Ｃｏｎｎｅｃｔｉｏｎ）シャフト１０６、ギアボックス１２５内の図示しないギア、主フレーム１１０の左側内の図示しないシャフトに伝達される。さらに、この回転動力は、農作業機１００の進行方向の左へと向きを変えてチェーンケース１０５内のチェーン伝達機構によって、ロータリ作業部１０２の回転軸１０４に伝達されていく。そして、農作業機１００は、ロータリ作業部１０２を回転させながら走行機体３００の前進走行に伴って進行して圃場を耕耘する。
【００２５】
ロータリ作業部１０２は、本体１０１の回転軸１０４と、この回転軸１０４に設けられた複数の耕耘爪１０３とで構成される。ロータリ作業部１０２は、本体１０１によって支持される。図２に示されるように、複数の耕耘爪１０３は、取り付け部から回転軸１０４に対して垂直に伸びた縦刃部１０３Ａと、進行方向に対して右又は左に屈曲した横刃部１０３Ｂを有する。複数の耕耘爪１０３において、個々の耕耘爪１０３が土を掘り起こす領域（幅）は隣接する耕耘爪１０３との間で重なりあいがある。ロータリ作業部１０２は、進行方向後方から前方に向かって土をかき上げるよう回転する。
【００２６】
シールドカバー１２０は、ロータリ作業部１０２の上方を覆うように配置される。シールドカバー１２０の側面には、側板１２１が設けられる。この場合、側板１２１は、ロータリ作業部１０２の端に配置されているということができる。後述する図３〜図６においては、進行方向に対して右側面の側板１２１が図示されている。
【００２７】
エプロン１３０は、シールドカバー１２０の後端部に固定された回動支点１４０を中心にして下降及び跳ね上げ回動可能に支持されている。エプロン１３０は、ロータリ作業部１０２の後方に配置される。エプロン１３０の重心は、回動支点１４０よりも後方にあるため、エプロン１３０は自重により下降しようとする。
【００２８】
主フレーム１１０に設けられた台座１１１とエプロン１３０との間には、ロック機構１５０が備えられている。ロック機構１５０は、エプロン１３０が下降状態にあるときに、エプロン１３０及び整地板１３１を圃場に一定の圧力で押さえつける働きをする。ロック機構１５０が作用する力の大きさは、作業者の操作によって調整可能である。また、ロック機構１５０は、各作業状態に応じてロックされる。
【００２９】
エプロン１３０の先端にはステンレス等で形成された整地板１３１が溶接されている。整地板１３１は、エプロン１３０の内側から外側に向かってループを描くように構成されている。この整地板１３１がロータリ作業部１０２によって掘り起こされた圃場を平坦にする。なお、エプロン１３０及び整地板１３１を合わせてエプロン部材と呼ぶ。
【００３０】
また、整地板１３１の両端には可動式の延長整地板１３３が設けられている（図１参照）。延長整地板１３３を開くことによって整地板１３１とともに広い幅の範囲を整地することが可能になる。
【００３１】
一方、エプロン１３０には、エプロンシールド１３２が設けられる。エプロンシールド１３２は、エプロン１３０の側面から前方（進行方向）に向かって配置される。図２においては、進行方向に対して右側面のエプロンシールド１３２が図示されている。また、エプロンシールド１３２は、側板１２１と平行な面を有している。このとき、エプロンシールド１３２は、側板１２１の内壁よりも内側（耕耘爪１０３側）に設けられる。エプロンシールド１３２を含めた農作業機１００の端部の構成について、以下にて説明する。
【００３２】
（１−２．農作業機の端部の構成）
図３は、農作業機１００の端部１００Ａを簡略化して示した斜視図である。図４および図５は、農作業機１００の端部１００Ａを簡略化して示した背面図である。図６は、農作業機１００の端部１００Ａを簡略化して示した側面図である。
【００３３】
図３に示すように、農作業機１００の端部１００Ａには、耕耘爪１０３、側板１２１、エプロン１３０、エプロンシールド１３２に加えて、土止め部材１６０が配置される。なお、図３および図４には、複数の耕耘爪１０３のうち、側板１２１に最も近い耕耘爪１０３−１が示されている。
【００３４】
また、図３に示すように、土止め部材１６０は、進行方向Ｌに対して斜め前方に傾斜して配置される。このとき、土止め部材１６０が、固定部１６０Ｆから、進行方向Ｌに向かって側板１２１から徐々に離れ、先端部１６０Ｔにおいて最も離れた状態となる。これにより、後述するように耕耘爪１０３に付着した土と土止め部材１６０とが接触するときに、過度な負荷がかかることが防止される。なお、上記において、固定部１６０Ｆを除く土止め部材１６０は、平面状でなくてもよい。例えば、土止め部材１６０は、固定部１６０Ｆ以外にも屈曲する部分を有してもよいし、曲面状であってもよい。
【００３５】
図４および図５に示すように、土止め部材１６０は、第１部分１６０Ａおよび第２部分１６０Ｂを有する。第１部分１６０Ａは、耕耘爪１０３−１（具体的には耕耘爪１０３−１のうち側板１２１側の面１０３−１Ｃ（図４参照））と、側板１２１との間に配置される部分をいう。
【００３６】
また、第２部分１６０Ｂは、以下のように示される。図５および図６に示すように、耕耘爪１０３−１が回転するときには第１空間Ｓ１を通過する。このとき、第１空間Ｓ１よりも上（または回転軸１０４の外側）の空間を第２空間Ｓ２とする。第２部分１６０Ｂは、側板１２１から第２空間Ｓ２に向かって延伸して配置された部分をいう。
【００３７】
図４〜図６に示すように、土止め部材１６０は、第１部分１６０Ａおよび第２部分１６０Ｂを有することにより、耕耘爪１０３−１から土が放擲されても、土止め部材１６０で止めることができる。
【００３８】
また、図４および図５に示すように、この例では、第１部分１６０Ａは、耕耘爪１０３−１の縦刃部１０３−１Ａと、側板１２１との間に隙間を少なくして配置されている。さらに、第２部分１６０Ｂは、第１空間Ｓ１の外側の形状Ｆ１に沿った形状を有しており、隙間を少なくして配置されている。上記より、土止め部材１６０は、耕耘爪１０３−１の通る回転軌跡（つまり第１空間Ｓ１）に近接して配置されている。これにより、耕耘爪１０３−１によって放擲された土が側板１２１のうち土止め部材１６０よりも進行方向の前側に付着することをより効率的に防ぐことができる。なお、第２部分１６０Ｂは、耕耘爪１０３−１が土止め部材１６０に近接した時の耕耘爪１０３−１のうち側板１２１側の面１０３−１Ｃの形状を反映しているということができる。
【００３９】
また、図６に示すように、土止め部材１６０は、進行方向Ｌに対して回転軸１０４の後方上部に配置される。このとき、土止め部材１６０は、回転軸１０４を中心とし、地面に対する垂直方向から時計回りに回転した方向（Ｄ１方向）に配置される。これにより、詳細は後述するが、エプロンシールド１３２の回動により側板１２１に付着した土が削ぎ落としやすくなる。
【００４０】
なお、土止め部材１６０は、側板１２１にボルトで固定されている。つまり、土止め部材１６０は、着脱可能であるということができる。土止め部材１６０が着脱可能であることにより、土止め部材１６０が摩耗した場合にも適宜交換することができる。したがって、メンテナンス性が高い農作業機であるということができる。
【００４１】
また、土止め部材１６０の材質は限定されないが、例えば無機材料が用いられる。具体的には、土止め部材１６０には、ステンレスの板材や、セラミックスなどの材料が用いられる。また、樹脂、木材等の有機材料を用いることもできるし、無機材料、有機材料を適宜組み合わせた複合材を用いることもできる。また、土止め部材１６０は、適宜表面処理が行われたものを用いてもよい。この場合の表面処理には、ブラスト処理、熱処理、メッキ処理が用いられる。表面処理を行うことにより、土止め部材１６０の耐久性を向上させることができる。
【００４２】
上記より、土止め部材１６０は、耕耘爪１０３に付着した土を除去する機能を有する。また、土止め部材１６０は、側板１２１のうち進行方向Ｌに対して土止め部材１６０より前方に土が付着することを防止する機能を有する。
【００４３】
（１−３．側板に付着した土の除去）
以下に、側板１２１に付着した土の除去作業を示す。図７（Ａ）は、耕耘作業時の農作業機１００の側面図である。図７（Ｂ）は、旋回時の農作業機１００の側面図である。
【００４４】
図７（Ａ）に示すように、耕耘作業時において、エプロン１３０は上に持ち上がった状態で固定される。このとき、エプロンシールド１３２は、エプロン１３０と側板１２１との隙間となる第１領域Ａ１から土が本体１０１の外側に放擲されるのを防ぐ。一方で、第２領域Ａ２には、耕耘爪１０３−１が放擲した土が土止め部材１６０に止められ付着する。または、第２領域Ａ２には、耕耘爪１０３−１に付着した土が土止め部材１６０によりそぎ落とされて付着する。
【００４５】
農作業機１００は、圃場を直線状に耕耘作業した後、隣接した土壌を耕耘するために旋回作業を行う。このとき、図７（Ｂ）に示すように、エプロン１３０が回動支点１４０を中心に耕耘作業時よりも時計回りに下方（Ｒ２）に回動する。この回動動作は、例えば走行機体３００の運転席横に設けられたリモコンのボタンを作業者が操作することによりロック機構１５０（図１および図２参照）と組み合わせて行ってもよい。または、この回動動作は、作業者が手動でエプロン１３０を回動させてもよい。または、この回動動作は、農作業機１００の自動制御により行ってもよい。なお、上述した通り、エプロンシールド１３２は、エプロン１３０に固定されている。また、エプロンシールド１３２は、側板１２１の内壁よりも内側（耕耘爪１０３側）に設けられる。エプロンシールド１３２は、側板１２１と平行な面を有している。
【００４６】
上記において、エプロンシールド１３２は、エプロン１３０の回動に合わせて側板１２１の内壁に沿って回動する。また、エプロンシールド１３２がＲ２方向に回動したとき、エプロンシールド１３２は土止め部材１６０の一部において重畳する部分Ｐ１まで回動する。このとき、エプロンシールド１３２と側板１２１とは近接している。これにより、側板１２１に付着した土は、エプロンシールド１３２の回動動作により、そぎ落とされる。なお、上記においてエプロンシールド１３２と土止め部材１６０は、土止め部材１６０と側板１２１とは一定の間隔を有して近接してもよい。
【００４７】
ここで、従来の構成における農作業機端部の背面図および側面図を図１２および図１３に示す。従来の構成の場合、回転する耕耘爪１０３−１と、側板１２１との間には空間Ｓ１１が存在していた。そのため、耕耘時に耕耘爪１０３−１によって放擲された土が、空間Ｓ１１を介して、側板１２１の領域Ａ１１に付着してしまうことがあった。領域Ａ１１に土が付着した場合、土を落とすことが容易ではなかった。
【００４８】
しかしながら、本発明の一実施形態を用いることにより、土止め部材１６０が設けられる。このため、上述した通り土が領域Ａ１１に付着することが抑えられる。また、側板１２１に付着した土は、エプロンシールド１３２の回動動作により、そぎ落とされる。さらに、農作業機１００は、適宜旋回動作を行うため、エプロン１３０およびエプロンシールド１３２の回動動作が繰り返し行われる。したがって、側板１２１に付着した土はエプロンシールド１３２により繰り返し除去されることとなる。以上により、耕耘爪１０３−１のうち縦刃部１０３−１Ａおよび横刃部１０３−１Ｂの側板１２１側の面１０３−１Ｃが摩耗することが防止される。つまり、本発明の一実施形態を用いることにより、側板に土が付着することを長期的に防止し、耕耘爪の長期使用が可能な農作業機を提供することができる。
【００４９】
なお、上記において、土止め部材１６０は、進行方向Ｌに対して回転軸１０４の後方上部に配置される例を示したが、これに限定されない。図８、図９および図１０は、農作業機１００の端部１００Ａを簡略化して示した側面図である。図８に示すように、土止め部材１６０−１は、進行方向Ｌに対してロータリ作業部１０２の回転軸１０４よりも前方に設けられてもよい。または、図９に示すように、土止め部材１６０−２は、ロータリ作業部１０２の回転軸１０４の上方に設けられてもよい。または、図１０に示すように、土止め部材１６０−３は、ロータリ作業部１０２の回転軸１０４と地面から同じ高さに設けられてもよい。土止め部材１６０の配置される位置、角度および形状は、耕耘爪１０３−１により放擲される土の飛散する方向に応じて適宜選択されてもよい。このとき、エプロンシールド１３２の形状を適宜変更してもよい。
【００５０】
また、本実施形態において、エプロンシールド１３２は土止め部材１６０の一部において重畳する部分Ｐ１まで回動する例を示したが、これに限定されない。土止め部材１６０と重畳する前にエプロンシールド１３２の回動が制止されてもよい。エプロンシールド１３２の回動範囲は、エプロンシールド１３２の形状によって適宜変更してもよい。
【００５１】
また、本実施形態において、土止め部材１６０は、側板１２１に最も近い耕耘爪１０３−１よりも内側の耕耘爪上（例えば図１に示す耕耘爪１０３−２）まで延伸して配置されてもよい。これにより、さらに土止め効果を高めることができる。
【００５２】
＜第２実施形態＞
以下に、異なる構成を有する農作業機ついて図面を用いて説明する。なお、第１実施形態に示す構造と同様の部分については、その説明を援用する。
【００５３】
図１１は、農作業機１００−１の端部１００−１Ａを簡略化して示した斜視図である。農作業機１００−１の端部１００−１Ａには、耕耘爪１０３−１、シールドカバー１２０、側板１２１、エプロン１３０、エプロンシールド１３２および土止め部材１６１が配置される。
【００５４】
土止め部材１６１は、土止め部材１６０と同様の機能を有する。一方で、土止め部材１６１は、弾性部材を含む。例えば、土止め部材１６１として、板状のゴム部材が配置される。このとき、土止め部材１６１は、耕耘作業時に耕耘爪１０３−１と接する部分を有してもよい。上記において、土止め部材１６１は、弾性を有することにより、耕耘爪１０３−１にかかる負荷を抑えつつ耕耘爪１０３−１に付着した土を除去することができる。なお、土止め部材１６１は、側板１２１だけではなく、側板１２１からシールドカバー１２０に向かって延伸して配置されてもよい。このとき、土止め部材１６１は、回転する耕耘爪１０３−１、または耕耘爪１０３−１によって放擲された土と接触することによって振動する。これにより、土止め部材１６１自体に付着した土を振動によって効率よく落とすことができる。
【００５５】
また、土止め部材１６１は、複数配置されてもよい。例えば、図１１に示すように、土止め部材１６１は３枚配置される。このとき、エプロンシールド１３２に最も近い土止め部材１６１（土止め部材１６１−１）により、土止めが行われつつ、進行方向Ｌ側に配置された他の土止め部材１６１（土止め部材１６１−２および土止め部材１６１−３）により、側板１２１の前方やシールドカバー１２０内面への土の付着を効果的に防止することができる。
【００５６】
（変形例１）
本発明の第１実施形態および第２実施形態では、農作業機の一例としてロータリ作業機を説明したが、これに限定されない。本発明に係る農作業機は代かき機であってもよく、ロータリ作業機又は代かき機以外の農作業機であってもよい。
【００５７】
（変形例２）
本発明の第１実施形態では、土止め部材１６０は、側板１２１にボルトで固定されている例を示したが、これに限定されない。土止め部材１６０は、側板１２１に溶接されて配置されてもよい。これにより、固定用のボルト近傍への土の付着が抑えられる。
【００５８】
（変形例３）
第１実施形態において、土止め部材１６０は、平板形状を有する例を示したが、これに限定されない。土止め部材１６０は、ブロック状でもよいし、枠状でもよい。土止め部材１６０の形状は、適宜作業環境などに応じて選択すればよい。
【符号の説明】
【００５９】
１００・・・農作業機、１００Ａ・・・端部、１０１・・・本体、１０２・・・ロータリ作業部、１０３，１０３−１・・・耕耘爪、１０３−１Ｃ・・・面、１０３Ａ，１０３−１Ａ・・・縦刃部、１０３Ｂ，１０３−１Ｂ・・・横刃部、１０４・・・回転軸、１０５・・・チェーンケース、１０６・・・ＰＩＣシャフト、１１０・・・主フレーム、１１１・・・台座、１２０・・・シールドカバー、１２１・・・側板、１２５・・・ギアボックス、１３０・・・エプロン、１３１・・・整地板、１３２・・・エプロンシールド、１３３・・・延長整地板、１４０・・・回動支点、１５０・・・ロック機構、１６０・・・土止め部材、１６１・・・土止め部材、３００・・・走行機体、Ａ１・・・第１領域、Ａ１１・・・領域、Ａ２・・・第２領域、Ｌ・・・進行方向、Ｓ１・・・第１空間、Ｓ１１・・・空間、Ｓ２・・・第２空間
【図１】
2019017284.tif 000003
【図２】
2019017284.tif 000004
【図３】
2019017284.tif 000005
【図４】
2019017284.tif 000006
【図５】
2019017284.tif 000007
【図６】
2019017284.tif 000008
【図７】
2019017284.tif 000009
【図８】
2019017284.tif 000010
【図９】
2019017284.tif 000011
【図１０】
2019017284.tif 000012
【図１１】
2019017284.tif 000013
【図１２】
2019017284.tif 000014
【図１３】
2019017284.tif 000015